(57)【要約】【課題】あらゆる方向の振動（衝撃）を、中央部受盤の水平回転等や、各球体の自由な回転等に変換して、その吸収（緩衝）を、確実に、素早く且つスムーズに行え、大きな荷重に対して耐え易く、安定性が良く、優れた耐震性を発揮でき、構成簡素で、耐久性に優れ、取扱い易く、量産に適し、経済的な構造体用耐震システムを提供する。【解決手段】耐震連結装置Ａは、ケース１と下部蓋体２と上部蓋体３と下部ロッド４と上部ロッド５とスプリング受６とベアリング受７と弾性スプリング８とスラストベアリング９とを備え、免震装置Ｂは、取付板２４、２５と下部受盤２０と中央部受盤２１と上部受盤２２と複数の球体２３とを備え、下部受盤２０の上面、中央部受盤２１の上下面、及び上部受盤２２の下面に夫々形成した略円環状の球体受溝部２０ａ、２１ａ、２２ａの間に、複数の球体２３を夫々介装して構成する。【選択図】図４
2006125503.tif 000002
【特許請求の範囲】
【請求項１】
適宜間隔を隔てて配される地盤側構造体と耐震側構造体との間に、複数の耐震連結装置と免震装置を介装して構成される構造体用耐震システムであって、前記耐震連結装置は、地盤側構造体に適宜手段で固定される下部側取付具と、耐震側構造体に適宜手段で固定される上部側取付具とを結ぶように装着され、更に、略円筒状のケースと、このケースの下部開口部分に装着される下部蓋体と、ケースの上部開口部分に装着される上部蓋体と、下部蓋体の挿通孔に摺動自在に挿通される下部ロッドと、上部蓋体の挿通孔に回動自在に挿通される上部ロッドと、ケースに内装されると共に、下部ロッドの基端部分に装着されるスプリング受と、ケースに内装されると共に、上部ロッドの基端部分に装着されるベアリング受と、下部蓋体とスプリング受の間に縮装される弾性スプリングと、上部蓋体とベアリング受の間に介装されるスラストベアリングとを備え、前記免震装置は、耐震連結装置の近傍に配され、更に、地盤側構造体に適宜手段で固定される取付板と、耐震側構造体に適宜手段で固定される取付板と、この一対の取付板の間に介装される下部受盤及び中央部受盤及び上部受盤と、下部受盤と中央部受盤の間、及び中央部受盤と上部受盤の間に夫々介装される複数の球体とを備え、下部受盤の上面には、平面略円環状を呈し且つ幅方向に於いて湾曲面となる球体受溝部を形成し、中央部受盤の上下面には、平面略円環状を呈し且つ幅方向に於いて湾曲面となる球体受溝部を夫々形成し、上部受盤の下面には、平面略円環状を呈し且つ幅方向に於いて湾曲面となる球体受溝部を形成し、複数の球体は、下部受盤の球体受溝部と中央部受盤の球体受溝部の間、及び中央部受盤の球体受溝部と上部受盤の球体受溝部の間に夫々介装されるよう構成したことを特徴とする構造体用耐震システム。
【請求項２】
前記免震装置に於いて、中央部受盤の上下面の球体受溝部の幅及び幅方向に於ける湾曲面の曲率半径を、球体の直径及び曲率半径より大きくなるように設定し、下部受盤の上面の球体受溝部と上部受盤の下面の球体受溝部の幅及び幅方向に於ける湾曲面の曲率半径を、中央部受盤の上下面の球体受溝部の幅及び幅方向に於ける湾曲面の曲率半径より大きくなるように設定して構成したことを特徴とする請求項１記載の構造体用耐震システム。
【請求項３】
前記耐震連結装置に於いて、スプリング受の外周面部分に、円周方向に沿って複数のボール収容凹部を設けると共に、このボール収容凹部にベアリングボールを転動自在に収容せしめて、ベアリングボールがケース内周面に接触可能となるように構成したことを特徴とする請求項１または請求項２記載の構造体用耐震システム。
【請求項４】
地盤側構造体と耐震側構造体との間に介装される構造体用耐震システムに利用可能な耐震連結装置であって、この耐震連結装置は、地盤側構造体に適宜手段で固定される下部側取付具と、耐震側構造体に適宜手段で固定される上部側取付具とを結ぶように装着され、更に、略円筒状のケースと、このケースの下部開口部分に装着される下部蓋体と、ケースの上部開口部分に装着される上部蓋体と、下部蓋体の挿通孔に摺動自在に挿通される下部ロッドと、上部蓋体の挿通孔に回動自在に挿通される上部ロッドと、ケースに内装されると共に、下部ロッドの基端部分に装着されるスプリング受と、ケースに内装されると共に、上部ロッドの基端部分に装着されるベアリング受と、下部蓋体とスプリング受の間に縮装される弾性スプリングと、上部蓋体とベアリング受の間に介装されるスラストベアリングとを備え、前記スプリング受の外周面部分に、円周方向に沿って複数のボール収容凹部を設けると共に、このボール収容凹部にベアリングボールを転動自在に収容せしめて、ベアリングボールがケース内周面に接触可能となるように構成したことを特徴とする構造体用耐震システムに利用可能な耐震連結装置。
【発明の詳細な説明】
【技術分野】
【０００１】
本発明は、適宜建築構造体等に於いて、例えば、コンクリート製基礎等の地盤側構造体と木製土台等の耐震側構造体との間に介装することによって、優れた耐震性を発揮できるようにした構造体用耐震システムと、この構造体用耐震システムに最適な耐震連結装置とに係るもので、あらゆる方向の震動に対してこれを確実に且つ素早く吸収でき、衝撃に対してこれを確実に且つ円滑に緩衝でき、しかも、構成が簡素で、耐久性に優れ、量産に適し、経済的となるような構造体用耐震システム及びこのシステムに利用可能な耐震連結装置に関するものである。
【背景技術】
【０００２】
従来、この種の構造体用耐震システムとしては、種々のものが開示されており、例えば、特許文献１に示すような構築物の耐震支持装置がある。
これは、構築物の土台をコンクリート基礎上に載設する支持装置であって、土台と基礎の間に、略皿状凹部を有する皿状支持体と、前記凹部に接するボール状支持体及びばね等の緩衝手段とを、複数組配設し、前記ボール状支持体を、土台に緩衝ばねを介して上下動自在に装着された支持杆の下端に、回転自在に嵌装し、前記皿状支持体を前記基礎に上向きに固定したものである。
更に、前記移動規制手段は、内部にコイルばね又は圧力流体及びピストンロッド端に設けたピストンを収容した緩衝シリンダと、該シリンダの頭部に固着したボールと、前記ピストンロッド外端に連結されたボールと、土台及び基礎に対向状に取付けたボール受体とにより構成したものである。
【０００３】
【特許文献１】特許第２８３１３１３号公報
【発明の開示】
【発明が解決しようとする課題】
【０００４】
ところが、前述の如き耐震支持装置にあっては、一つのボール状支持体が皿状支持体の略皿状凹部を転動するようになっているため、ボール状支持体が大きな荷重に耐え難い難点や、安定性が悪い難点や、振動を吸収し難いと共に、振動の素早い吸収が行い難い等の難点があった。
【０００５】
また、移動規制手段にあっては、シリンダの頭部に固着したボールと、ピストンロッド外端に連結されたボールと、土台及び基礎に対向状に取付けたボール受体とで係止されているため、例えば、比較的大きな振動に対する追動がスムーズに行い難い等の難点があった。更に、比較的大きな荷重があった場合に、ボールがボール受体から逸脱してしまう虞れ等もあった。
【課題を解決するための手段】
【０００６】
そこで、本発明は、前述の如き難点等を解消すべく創出されたもので、請求項１記載の構造体用耐震システムにあっては、適宜間隔を隔てて配される地盤側構造体Ｇと耐震側構造体Ｈとの間に、複数の耐震連結装置Ａと免震装置Ｂを介装して構成される構造体用耐震システムであって、前記耐震連結装置Ａは、地盤側構造体Ｇに適宜手段で固定される下部側取付具Ａ１と、耐震側構造体Ｈに適宜手段で固定される上部側取付具Ａ２とを結ぶように装着され、更に、略円筒状のケース１と、このケース１の下部開口部分に装着される下部蓋体２と、ケース１の上部開口部分に装着される上部蓋体３と、下部蓋体２の挿通孔２ａに摺動自在に挿通される下部ロッド４と、上部蓋体３の挿通孔３ａに回動自在に挿通される上部ロッド５と、ケース１に内装されると共に、下部ロッド４の基端部分に装着されるスプリング受６と、ケース１に内装されると共に、上部ロッド５の基端部分に装着されるベアリング受７と、下部蓋体２とスプリング受６の間に縮装される弾性スプリング８と、上部蓋体３とベアリング受７の間に介装されるスラストベアリング９とを備え、前記免震装置Ｂは、耐震連結装置Ａの近傍に配され、更に、地盤側構造体Ｇに適宜手段で固定される取付板２４と、耐震側構造体Ｈに適宜手段で固定される取付板２５と、この一対の取付板２４、２５の間に介装される下部受盤２０及び中央部受盤２１及び上部受盤２２と、下部受盤２０と中央部受盤２１の間、及び中央部受盤２１と上部受盤２２の間に夫々介装される複数の球体２３とを備え、下部受盤２０の上面には、平面略円環状を呈し且つ幅方向に於いて湾曲面となる球体受溝部２０ａを形成し、中央部受盤２１の上下面には、平面略円環状を呈し且つ幅方向に於いて湾曲面となる球体受溝部２１ａを夫々形成し、上部受盤２２の下面には、平面略円環状を呈し且つ幅方向に於いて湾曲面となる球体受溝部２２ａを形成し、複数の球体２３は、下部受盤２０の球体受溝部２０ａと中央部受盤２１の球体受溝部２１ａの間、及び中央部受盤２１の球体受溝部２１ａと上部受盤２２の球体受溝部２２ａの間に夫々介装されるよう構成する手段を採用した。
【０００７】
また、請求項２記載の構造体用耐震システムにあっては、前記免震装置Ｂに於いて、中央部受盤２１の上下面の球体受溝部２１ａの幅及び幅方向に於ける湾曲面の曲率半径を、球体２３の直径及び曲率半径より大きくなるように設定し、下部受盤２０の上面の球体受溝部２０ａと上部受盤２２の下面の球体受溝部２２ａの幅及び幅方向に於ける湾曲面の曲率半径を、中央部受盤２１の上下面の球体受溝部２１ａの幅及び幅方向に於ける湾曲面の曲率半径より大きくなるように設定して構成する手段を採用した。
【０００８】
更に、請求項３記載の構造体用耐震システムにあっては、前記耐震連結装置Ａに於いて、スプリング受６の外周面部分に、円周方向に沿って複数のボール収容凹部６ａを設けると共に、このボール収容凹部６ａにベアリングボール６ｂを転動自在に収容せしめて、ベアリングボール６ｂがケース１内周面に接触可能となるように構成する手段を採用した。
【０００９】
そして、請求項４記載の構造体用耐震システムに利用可能な耐震連結装置Ａにあっては、地盤側構造体Ｇと耐震側構造体Ｈとの間に介装される構造体用耐震システムに利用可能な耐震連結装置Ａであって、この耐震連結装置Ａは、地盤側構造体Ｇに適宜手段で固定される下部側取付具Ａ１と、耐震側構造体Ｈに適宜手段で固定される上部側取付具Ａ２とを結ぶように装着され、更に、略円筒状のケース１と、このケース１の下部開口部分に装着される下部蓋体２と、ケース１の上部開口部分に装着される上部蓋体３と、下部蓋体２の挿通孔２ａに摺動自在に挿通される下部ロッド４と、上部蓋体３の挿通孔３ａに回動自在に挿通される上部ロッド５と、ケース１に内装されると共に、下部ロッド４の基端部分に装着されるスプリング受６と、ケース１に内装されると共に、上部ロッド５の基端部分に装着されるベアリング受７と、下部蓋体２とスプリング受６の間に縮装される弾性スプリング８と、上部蓋体３とベアリング受７の間に介装されるスラストベアリング９とを備え、前記スプリング受６の外周面部分に、円周方向に沿って複数のボール収容凹部６ａを設けると共に、このボール収容凹部６ａにベアリングボール６ｂを転動自在に収容せしめて、ベアリングボール６ｂがケース１内周面に接触可能となるように構成する手段を採用した。
【発明の効果】
【００１０】
従って、請求項１記載の構造体用耐震システムによれば、例えば、基礎等の地盤側構造体Ｇと土台等の耐震側構造体Ｈとの間に介装することで、あらゆる方向の震動に対してこれを確実に且つ素早く吸収でき、衝撃に対してこれを確実に且つ円滑に緩衝でき、優れた耐震性を発揮できるようになる。しかも、構成が簡素で、安定性、耐久性に優れ、取扱い易く、量産に適し、経済的な構造体用耐震システムとある。
【００１１】
特に、免震装置Ｂは、地盤側構造体Ｇに適宜手段で固定される取付板２４と、耐震側構造体Ｈに適宜手段で固定される取付板２５と、この一対の取付板２４、２５の間に介装される下部受盤２０及び中央部受盤２１及び上部受盤２２と、下部受盤２０と中央部受盤２１の間、及び中央部受盤２１と上部受盤２２の間に夫々介装される複数の球体２３とを備え、下部受盤２０の上面には、平面略円環状を呈し且つ幅方向に於いて湾曲面となる球体受溝部２０ａを形成し、中央部受盤２１の上下面には、平面略円環状を呈し且つ幅方向に於いて湾曲面となる球体受溝部２１ａを夫々形成し、上部受盤２２の下面には、平面略円環状を呈し且つ幅方向に於いて湾曲面となる球体受溝部２２ａを形成し、複数の球体２３は、下部受盤２０の球体受溝部２０ａと中央部受盤２１の球体受溝部２１ａの間、及び中央部受盤２１の球体受溝部２１ａと上部受盤２２の球体受溝部２２ａの間に夫々介装されるよう構成したので、大きな荷重に対して複数の球体２３で耐え易くなると共に、安定性が良くなり、振動を吸収し易くなると共に、振動の素早い吸収が可能となる。
すなわち、あらゆる方向（前後、左右、上下）の振動（衝撃）に対して、このエネルギーが上段部の複数の球体２３と下段部の複数の球体２３によって中央部受盤２１の水平回転に変換できるようになると共に、各球体２３の自由な回転に変換できるようになり、振動（衝撃）の吸収（緩衝）が素早く且つスムーズに行えるようになる。
【００１２】
また、請求項２記載の構造体用耐震システムによれば、球体２３と球体受溝部２０ａ、２１ａ、２２ａとの接点が小さくなり、球体２３自身の摩耗も少なくて済むようになる。しかも、振動（衝撃）時に於いて、球体２３は摩擦抵抗（ころがり抵抗）の少ない方向（球体受溝部２０ａ、２１ａ、２２ａの円周方向）に動き易くなるため、中央部受盤２１が水平方向にスムーズに回転し易くなると共に、振動時の振幅を小さく抑制できるようになる。
【００１３】
更に、請求項３記載の構造体用耐震システムによれば、振動時にスプリング受６がケース１内を回転し易くなると共に、ケース１内を上下に移動し易くなり、耐震連結装置Ａが振動を円滑に吸収できるようになる。しかも、耐震連結装置Ａの耐久性が向上するようになる。
【００１４】
そして、請求項４記載の構造体用耐震システムに利用可能な耐震連結装置Ａによれば、例えば、基礎等の地盤側構造体Ｇと、基礎の上に載置される土台等の耐震側構造体Ｈとの間で、優れた耐震性を発揮でき、あらゆる方向の震動に対してこれを確実に且つ素早く吸収でき、衝撃を確実に且つ円滑に緩衝できる。しかも、構成が簡素で、取扱い易く、量産に適し、経済的で、本発明の構造体用耐震システムに最適な耐震連結装置Ａとなる。
【００１５】
特に、比較的大きな振動に対する追動がスムーズに行えるようになり、比較的大きな荷重が加えられた場合でも、損傷することなく、確実な作動が期待でき、耐久性の優れたものとなる。
【００１６】
加えて、適宜物品の転倒防止用等として応用したり、或いは、その他あらゆるところでの利用が可能であり、汎用性の優れた耐震連結装置Ａとなる。
【発明を実施するための最良の形態】
【００１７】
以下、本発明を図示例に基づいて説明すると、次の通りである。
本発明は、例えば、適宜建築構造体等に於いて、コンクリート製基礎等の地盤側構造体Ｇと、木製土台等の耐震側構造体Ｈとの間に適宜介装することによって、優れた耐震性を発揮できるようにした構造体用耐震システムと、この構造体用耐震システムに最適な耐震連結装置Ａとに係るものである。
【００１８】
先ず、本発明の構造体用耐震システムは、耐震連結装置Ａと免震装置Ｂとからなる。更に、耐震連結装置Ａは、地盤側構造体Ｇに適宜手段で固定される下部側取付具Ａ１と、耐震側構造体Ｈに適宜手段で固定される上部側取付具Ａ２とを結ぶように装着されている。しかも、この耐震連結装置Ａは、略円筒状のケース１と、このケース１の下部開口部分に装着される下部蓋体２と、ケース１の上部開口部分に装着される上部蓋体３と、下部蓋体２の挿通孔２ａに摺動自在に挿通される下部ロッド４と、上部蓋体３の挿通孔３ａに回動自在に挿通される上部ロッド５と、ケース１に内装されると共に、下部ロッド４の基端部分に装着されるスプリング受６と、ケース１に内装されると共に、上部ロッド５の基端部分に装着されるベアリング受７と、下部蓋体２とスプリング受６の間に縮装される弾性スプリング８と、上部蓋体３とベアリング受７の間に介装されるスラストベアリング９とを備え、更に、耐震連結装置Ａは、スプリング受６の外周面部分に、円周方向に沿ってボール収容凹部６ａを設けると共に、このボール収容凹部６ａにベアリングボール６ｂを転動自在に収容せしめて、ベアリングボール６ｂがケース１内周面に接触可能となるように構成されている。
【００１９】
また、前記免震装置Ｂは、耐震連結装置Ａの近傍に配され、更に、地盤側構造体Ｇに適宜手段で固定される取付板２４と、耐震側構造体Ｈに適宜手段で固定される取付板２５と、この一対の取付板２４、２５の間に介装される下部受盤２０及び中央部受盤２１及び上部受盤２２と、下部受盤２０と中央部受盤２１の間、及び中央部受盤２１と上部受盤２２の間に夫々介装される複数の球体２３とを備えている。しかも、下部受盤２０の上面には、平面略円環状を呈し且つ幅方向に於いて湾曲面となる球体受溝部２０ａを形成し、中央部受盤２１の上下面には、平面略円環状を呈し且つ幅方向に於いて湾曲面となる球体受溝部２１ａを夫々形成し、上部受盤２２の下面には、平面略円環状を呈し且つ幅方向に於いて湾曲面となる球体受溝部２２ａを形成し、複数の球体２３は、下部受盤２０の球体受溝部２０ａと中央部受盤２１の球体受溝部２１ａの間、及び中央部受盤２１の球体受溝部２１ａと上部受盤２２の球体受溝部２２ａの間に夫々介装されるよう構成されている。
それから、免震装置Ｂに於いて、中央部受盤２１の上下面の球体受溝部２１ａの幅及び幅方向に於ける湾曲面の曲率半径を、球体２３の直径及び曲率半径より大きくなるように設定し、下部受盤２０の上面の球体受溝部２０ａと上部受盤２２の下面の球体受溝部２２ａの幅及び幅方向に於ける湾曲面の曲率半径を、中央部受盤２１の上下面の球体受溝部２１ａの幅及び幅方向に於ける湾曲面の曲率半径より大きくなるように設定して構成されている。
【００２０】
一方、前記構造体用耐震システムに最適となる本発明の耐震連結装置Ａは、地盤側構造体Ｇに適宜手段で固定される下部側取付具Ａ１と、耐震側構造体Ｈに適宜手段で固定される上部側取付具Ａ２とを結ぶように装着されており、更に、耐震連結装置Ａは、略円筒状のケース１と、このケース１の下部開口部分に装着される下部蓋体２と、ケース１の上部開口部分に装着される上部蓋体３と、下部蓋体２の挿通孔２ａに摺動自在に挿通される下部ロッド４と、上部蓋体３の挿通孔３ａに回動自在に挿通される上部ロッド５と、ケース１に内装されると共に、下部ロッド４の基端部分に装着されるスプリング受６と、ケース１に内装されると共に、上部ロッド５の基端部分に装着されるベアリング受７と、下部蓋体２とスプリング受６の間に縮装される弾性スプリング８と、上部蓋体３とベアリング受７の間に介装されるスラストベアリング９とを備えている。
しかも、前記スプリング受６の外周面部分に、円周方向に沿ってボール収容凹部６ａを設けると共に、このボール収容凹部６ａにベアリングボール６ｂを転動自在に収容せしめて、ベアリングボール６ｂがケース１内周面に接触可能となるように構成されている。
【実施例】
【００２１】
次に、地盤側構造体Ｇに適宜手段で固定される前記下部側取付具Ａ１は、例えば、コンクリート製基礎（地盤側構造体Ｇ）の上端面に、アンカー及びナット等を介して固定される適宜金属製基板部分と、この基板部分の中央上部に適宜手段で固着される適宜金属製取付リング部分とを備え、この取付リング部分に耐震連結装置Ａの下部の取付リング１２が遊動自在に装着できるよう構成されている。すなわち、下部側取付具Ａ１の取付リング部分と耐震連結装置Ａの下部の取付リング１２とが確実に連結できると共に、大きな荷重が加えられても簡単に分離しないように構成されている。
【００２２】
また、耐震側構造体Ｈに適宜手段で固定される前記上部側取付具Ａ２は、例えば、木製土台（耐震側構造体Ｈ）の下端面に、ボルト及びナット等を介して固定される適宜金属製基板部分と、この基板部分の中央下部に適宜手段で固着される適宜金属製取付リング部分とを備え、この取付リング部分に耐震連結装置Ａの上部の取付リング１３が遊動自在に装着できるよう構成されている。すなわち、上部側取付具Ａ２の取付リング部分と耐震連結装置Ａの上部の取付リング１２とが確実に連結できると共に、大きな荷重が加えられても簡単に分離しないように構成されている。
【００２３】
そして、地盤側構造体Ｇと耐震側構造体Ｈとの間に介装される耐震連結装置Ａの前記ケース１は、例えば、適宜金属材（或いは、比較的強度がある適宜複合材でも良い）によって略厚肉円筒状に構成されている。
【００２４】
前記下部蓋体２は、例えば、適宜金属材（或いは、比較的強度がある適宜複合材でも良い）によって構成され、ケース１の下端部を閉塞できるように装着（螺着）され、しかも、その中央部分には、挿通孔２ａが貫通されている。
尚、図中２ｂは、下部蓋体２の上端面に上方に向って突設した略円筒状の筒部で、この筒部２ｂの外周上部に、スラストベアリング１６を下部蓋体２に保持しておくためのスナップリング１７が装着できるように構成してある（図３参照）。
【００２５】
前記上部蓋体３は、例えば、適宜金属材（或いは、比較的強度がある適宜複合材でも良い）によって構成され、ケース１の上端部を閉塞できるように装着（螺着）され、しかも、その中央部分には、挿通孔３ａが貫通されている。
【００２６】
前記下部ロッド４は、例えば、適宜金属製で略丸棒状に形成され、下部蓋体２の挿通孔２ａに対して、挿通自在で且つ回転自在となるように構成されている。そして、下部ロッド４の下端部分には、略環状の取付リング１２が固着（例えば、溶着）されている。
【００２７】
前記上部ロッド５は、例えば、適宜金属製で略丸棒状に形成され、上部蓋体３の挿通孔３ａに対して、回転自在となるように構成されている。そして、上部ロッド５の上端部分には、略環状の取付リング１３が固着（例えば、溶着）されている。
【００２８】
前記スプリング受６は、例えば、適宜金属材（或いは、比較的強度がある適宜複合材でも良い）によって構成され、下部ロッド４の上端部分にナット１０を介して固定されている。しかも、弾性スプリング８の上端部分を安定的に保持すると共に、下部蓋体２上面部分とで弾性スプリング８を挟むように構成されている。
【００２９】
尚、スプリング受６の外周面部分には、円周方向に沿って適宜間隔で配される複数（例えば、８個）のボール収容凹部６ａを設けてあり、このボール収容凹部６ａ夫々には、例えば、適宜金属製のベアリングボール６ｂを転動自在に収容させて、ベアリングボール６ｂがケース１内周面に接触可能となるように構成することで、スプリング受６が、ケース１内を回転し易く且つケース１内を上下に移動し易くしている。
【００３０】
前記ベアリング受７は、例えば、適宜金属材（或いは、比較的強度がある適宜複合材でも良い）によって構成され、上部ロッド５の下端部分にナット１１を介して固定されている。しかも、スラストベアリング９を安定的に保持すると共に、上部蓋体３下面部分とでスラストベアリング９を挟み、上部ロッド５がスムーズに回転できるように構成されている。
【００３１】
前記弾性スプリング８は、例えば、捩りコイルバネ状に構成されており、下部蓋体２とスプリング受６の間に縮装され、スプリング受６が下部蓋体２から離れる向きに常時弾発力を付勢している。
【００３２】
尚、図中１５は、例えば、適宜金属材（或いは、比較的強度がある適宜複合材でも良い）によって構成され、下部ロッド４に遊挿され、スラストベアリング１６に当接すると共に、弾性スプリング８の下端部を保持するスプリング・ベアリング受で、下部ロッド４がスムーズに回転できるよう構成されている。
【００３３】
図中１８は、下部蓋体２の下端部分に張出状に周設したフランジ部と、上部蓋体３の上端部分に張出状に周設したフランジ部とを貫通して連結する通しボルトで、この通しボルト１８は、ケース１の周囲に複数配設されると共に、ナット１９によって固定されており、耐震連結装置Ａ全体の強度、耐久性等を向上できるように設けられたものである（図３参照）。
【００３４】
また、地盤側構造体Ｇと耐震側構造体Ｈとの間に介装される免震装置Ｂの下部受盤２０は、例えば、適宜金属材（或いは、比較的強度がある適宜複合材でも良い）によって略厚板状に構成されている。更に、その上面には、平面略円環状を呈し且つ幅方向に於いて湾曲面となるような球体受溝部２０ａが形成され、その下部にはフランジ部分が形成され、このフランジ部に穿設した透孔に挿通される取付ネジ２９を介して下部の取付板２４に固定できるように構成されている。
【００３５】
前記上部受盤２２は、例えば、適宜金属材（或いは、比較的強度がある適宜複合材でも良い）によって略厚板状に構成されている。更に、その下面には、下部受盤２０の球体受溝部２０ａと同様な平面略円環状を呈し且つ幅方向に於いて湾曲面となるような球体受溝部２２ａが形成され、その上部にはフランジ部分が形成され、このフランジ部に穿設した透孔に挿通される取付ネジ２９を介して上部の取付板２５に固定できるように構成されている。
【００３６】
前記中央部受盤２１は、例えば、適宜金属材（或いは、比較的強度がある適宜複合材でも良い）によって略平面円形な厚板状に構成されている。更に、その上下面には、下部受盤２０の球体受溝部２０ａや上部受盤２２の球体受溝部２２ａと同芯となるような平面略円環状を呈し且つ幅方向に於いて湾曲面となるような球体受溝部２１ａが形成されている。
【００３７】
尚、中央部受盤２１の球体受溝部２１ａの幅及び幅方向に於ける湾曲面の曲率半径は、球体２３の直径及び曲率半径より大きくなるように設定し、下部受盤２０の球体受溝部２０ａと上部受盤２２の球体受溝部２２ａの幅及び幅方向に於ける湾曲面の曲率半径は、中央部受盤２１の球体受溝部２１ａの幅及び幅方向に於ける湾曲面の曲率半径より大きくなるように設定してある。すなわち、球体２３と球体受溝部２０ａ、２１ａ、２２ａとの接点が小さくなり、球体２３自身の摩耗が少なくて済むように構成してある。しかも、振動（衝撃）時に於いて、球体２３は摩擦抵抗（ころがり抵抗）の少ない方向（球体受溝部２０ａ、２１ａ、２２ａの円周方向）に動くようになり、中央部受盤２１が水平方向にスムーズに回転すると共に、振動時の振幅を小さく抑制できるよう構成してある。
【００３８】
前記球体２３は、例えば、適宜金属材によって球形状に構成されており、下部受盤２０の球体受溝部２０ａと中央部受盤２１の球体受溝部２１ａの間や、上部受盤２２の球体受溝部２２ａと中央部受盤２１の球体受溝部２１ａの間に、ある程度の間隔を隔てた状態で夫々複数（例えば、１２個）配設してある（図５参照）。
【００３９】
図中２６は、例えば、適宜金属材（或いは、比較的強度がある適宜複合材でも良い）によって略板状に形成されるレベル調整板で、このレベル調整板２６は、下部受盤２０と下部の取付板２４との間や、上部受盤２２と上部の取付板２５との間に介装されるもので、例えば、その厚みが異なるレベル調整板２６や傾斜のあるレベル調整板２６等を利用することで、下部受盤２０と下部の取付板２４との間や、上部受盤２２と上部の取付板２５との間の間隔調節や、下部受盤２０や上部受盤２２夫々の傾きの修正等が簡単に行えるように設けられたものである。
【００４０】
図中２７は、例えば、適宜金属板材等によって構成される水平板で、この水平板２７は、下部の取付板２４下面に固着されると共に、地盤側構造体Ｇの上端部分にアンカー等を介して安定的に固定できるように構成されている。
【００４１】
図中２８は、例えば、適宜弾性材等によって構成される略蛇腹筒状の外装体で、この外装体２８は、下部の取付板２４と上部の取付板２５との間に介装されると共に、下部受盤２０、中央部受盤２１、及び上部受盤２２を囲繞するように構成されている。すなわち、この外装体２８は、免震装置Ｂの防塵性や防食性や耐久性等を向上できるように設けられたものである。
【００４２】
図中３０は、例えば、潤滑油やグリース等で構成される適宜潤滑材で、この潤滑材３０は、球体２３の動きを良くすると共に、球体２３や、球体受溝部２０ａ、２１ａ、２２ａの防食性が向上するように設けられている。
【００４３】
ところで、耐震システムの具体的構成、耐震連結装置Ａの具体的構成、形状、寸法、材質、下部側取付具Ａ１の具体的構成、形状、寸法、材質、上部側取付具Ａ２の具体的構成、形状、寸法、材質、ケース１の具体的構成、形状、寸法、材質、下部蓋体２の具体的構成、形状、寸法、材質、挿通孔２ａの具体的構成、形状、寸法、配設位置、筒部２ｂの具体的構成、形状、寸法、材質、上部蓋体３の具体的構成、形状、寸法、材質、挿通孔３ａの具体的構成、形状、寸法、配設位置、下部ロッド４の具体的構成、形状、寸法、材質、上部ロッド５の具体的構成、形状、寸法、材質、スプリング受６の具体的構成、形状、寸法、材質、ボール収容凹部６ａの具体的構成、形状、寸法、数、配設位置、ベアリングボール６ｂの具体的構成、形状、寸法、材質、数、ベアリング受７の具体的構成、形状、寸法、材質、弾性スプリング８の具体的構成、形状、寸法、材質、スラストベアリング９の具体的構成、形状、寸法、材質、ナット１０、１１の具体的構成、形状、寸法、材質、数、取付リング１２、１３の具体的構成、形状、寸法、材質、スプリング・ベアリング受１５の具体的構成、形状、寸法、材質、スラストベアリング１６の具体的構成、形状、寸法、材質、スナップリング１７の具体的構成、形状、寸法、材質、通しボルト１８の具体的構成、形状、寸法、材質、数、配設位置、ナット１９の具体的構成、形状、寸法、材質、免震装置Ｂの具体的構成、形状、寸法、材質、下部受盤２０の具体的構成、形状、寸法、材質、球体受溝部２０ａの具体的構成、形状、寸法、中央部受盤２１の具体的構成、形状、寸法、材質、球体受溝部２１ａの具体的構成、形状、寸法、上部受盤２２の具体的構成、形状、寸法、材質、球体受溝部２２ａの具体的構成、形状、寸法、球体２３の具体的構成、形状、寸法、数、配設位置、取付板２４、２５の具体的構成、形状、寸法、材質、レベル調整板２６の具体的構成、形状、寸法、材質、数、水平板２７の具体的構成、形状、寸法、材質、外装体２８の具体的構成、形状、寸法、材質、取付ネジ２９の具体的構成、形状、寸法、材質、数、配設位置、潤滑材３０の具体的材質、地盤側構造体Ｇの具体的構成、形状、寸法、材質、耐震側構造体Ｈの具体的構成、形状、寸法、材質等は、図示例のもの等に限定されることなく適宜自由に設定、変更できるものである。
【図面の簡単な説明】
【００４４】
【図１】本発明の構造体用耐震システムを例示する部分正面図である。
【図２】本発明の耐震連結装置を例示する縦断正面図である。
【図３】本発明の耐震連結装置の他の実施例を示す縦断正面図である。
【図４】本発明の免震装置を例示する一部切欠正面図である。
【図５】本発明の免震装置を例示する一部切欠平面図である。
【符号の説明】
【００４５】
Ａ      耐震連結装置
Ａ１    下部側取付具                Ａ２    上部側取付具
１      ケース
２      下部蓋体                    ２ａ    挿通孔
２ｂ    筒部
３      上部蓋体                    ３ａ    挿通孔
４      下部ロッド
５      上部ロッド
６      スプリング受                ６ａ    ボール収容凹部
６ｂ    ベアリングボール
７      ベアリング受
８      弾性スプリング
９      スラストベアリング
１０    ナット
１１    ナット
１２    取付リング
１３    取付リング
１５    スプリング・ベアリング受
１６    スラストベアリング
１７    スナップリング
１８    通しボルト
１９    ナット
Ｂ      免震装置
２０    下部受盤                    ２０ａ  球体受溝部
２１    中央部受盤                  ２１ａ  球体受溝部
２２    上部受盤                    ２２ａ  球体受溝部
２３    球体
２４    取付板
２５    取付板
２６    レベル調整板
２７    水平板
２８    外装体
２９    取付ネジ
３０    潤滑材
Ｇ      地盤側構造体
Ｈ      耐震側構造体
【図１】
2006125503.tif 000003
【図２】
2006125503.tif 000004
【図３】
2006125503.tif 000005
【図４】
2006125503.tif 000006
【図５】
2006125503.tif 000007